(57)【特許請求の範囲】
【請求項１】
壁部に互いに平行に対峙して固定される一対の横棒体と、これら横棒体の間に垂直方向に配設されると共に、横棒体の長手方向に沿って移動可能な縦手摺体と、上記横棒体を挿通すると共に、上記縦手摺体の端部を連結する上下一対のブラケットと、上記縦手摺体の上記横棒体に対する移動を制止するロック機構と、を具備する浴室用手摺であって、
上記両ブラケットは、
上記横棒体が挿通可能な横棒体挿通筒部と、
該横棒体挿通筒部の両端開口側に配設され、横棒体に対して上記縦手摺体の摺動を円滑にする摺動案内部材と、を具備し、
上記ロック機構は、
上記両ブラケットのうちの一方のブラケットに一端部が回動可能に設けられ、上記縦手摺体のロック状態において、上記横棒体の外周面側に近接可能な第１のカム部を有すると共に、ブラケットに係止可能なロックレバーと、
上記横棒体の外周面と、上記ロックレバーの一端部との間に配設され、ロックレバーの回動により上記第１のカム部が当接して上記横棒体の外周面に圧接される第１の制動部材と、
上記他方のブラケットに一端部が回動可能に設けられ、ロック状態において、自由端部に上記横棒体の外周面側に近接可能な第２のカム部を有するロック部材と、
上記横棒体の外周面と、上記ロック部材の自由端部との間に配設され、ロック部材の回動により上記第２のカム部が当接して上記横棒体の外周面に圧接される第２の制動部材と、
上記縦手摺体内に遊挿され、一端が上記ロックレバーに連結され、他端が上記ロック部材に連結される連動操作部材と、を具備する、
ことを特徴とする浴室用手摺。
【請求項２】
請求項１記載の浴室用手摺において、
上記縦手摺体のロック状態において、上記ロックレバーの第１のカム部は、上記第１の制動部材を介して該第１のカム部と上記横棒体とが接触する死点を越えた位置に接触し、上記ロック部材の第２のカム部は、上記第２の制動部材を介して該第２のカム部と上記横棒体とが接触する死点を越えない位置に接触する、ことを特徴とする浴室用手摺。
【請求項３】
請求項１又は２に記載の浴室用手摺において、
上記一対の横棒体が一対の横手摺体を形成する、ことを特徴とする浴室用手摺。
【請求項４】
請求項１ないし３のいずれかに記載の浴室用手摺において、
上記ロック部材は、上記他方のブラケットの内部に回動可能に枢支されると共に、回動軸と同軸に設けられる付勢ばねによりロック解除方向に付勢される、ことを特徴とする浴室用手摺。
【請求項５】
請求項１ないし４のいずれかに記載の浴室用手摺において、
上記ロックレバーは、該ロックレバーの回動軸と直交する側面視円弧状に形成され、ロック状態において上記一方のブラケットの外周面に沿うように設けられる、ことを特徴とする浴室用手摺。
【請求項６】
請求項１ないし５のいずれかに記載の浴室用手摺において、
上記摺動案内部材は、上記横棒部材の外周面の少なくとも３以上の等間隔の複数箇所に接触可能な潤滑性を有する矩形板状の合成樹脂製部材にて形成されている、ことを特徴とする浴室用手摺。
【請求項７】
請求項１ないし５のいずれかに記載の浴室用手摺において、
上記摺動案内部材は、上記横棒部材の外周面の少なくとも３以上の等間隔の複数箇所に接触可能な鼓型ローラにて形成されている、ことを特徴とする浴室用手摺。
【発明の詳細な説明】
【技術分野】
【０００１】
この発明は、浴室用手摺に関するもので、更に詳細には、平行に設けられた一対の横棒体の間に垂直方向に設けられる縦手摺体を、横棒体に対して任意の位置に移動可能にした浴室用手摺に関するものである。
【背景技術】
【０００２】
従来、特に高齢者や身障者の介護を目的として浴槽に面した壁面に可動手摺を設け、使用者の体格等に応じた位置設定とすることが行われている。
【０００３】
この種の可動手摺として、壁部に互いに平行に対峙して固定される一対の横手摺体と、これら横手摺体の間に垂直方向に配設されると共に、横手摺体の長手方向に沿って移動可能な縦手摺体と、横手摺体を挿通すると共に、縦手摺体の端部を連結する上下一対のブラケットと、縦手摺体の横手摺体に対する移動を制止するロック手段と、を具備する浴室用手摺が知られている（例えば、特許文献１参照）。
【０００４】
特許文献１に記載の手摺は、ブラケットに設けられたロック手段をロック側に操作して押圧部によりブレーキ部材（制動部材）を押圧してブレーキ部材を横手摺体に圧接してロック状態とし、ロック手段をアンロック側に操作してブレーキ部材の横手摺体との圧接を解除することができる。
【先行技術文献】
【特許文献】
【０００５】
【特許文献１】特許第４７８５１３７号公報
【発明の概要】
【発明が解決しようとする課題】
【０００６】
この種の可動手摺において、縦手摺体のロック状態とアンロック状態の操作は介護者が行うが、特許文献１に記載の手摺においては、上下夫々のブラケットにロック手段の操作部が設けられているために、上下のブラケットのロック手段の操作に手間がかかる上、特に小柄な者においては上側のブラケットの操作がしづらい懸念がある。
【０００７】
また、上下夫々のブラケットにロック手段の操作部を設けるため、構成部材が多くなり、しかも、ロック手段の固定を確実にするために構成部材が大型化してしまう懸念がある。
【０００８】
この発明は、上記事情に鑑みてなされたもので、上下の各ブラケットの制動部材を一つのレバー操作によって容易かつ素早く行うことができ、また、構成部材の削減が図れると共に、ブラケットの小型化が図れるようにした浴室用手摺を提供することを課題とする。
【課題を解決するための手段】
【０００９】
上記課題を解決するため、この発明の浴室用手摺は、壁部に互いに平行に対峙して固定される一対の横棒体と、これら横棒体の間に垂直方向に配設されると共に、横棒体の長手方向に沿って移動可能な縦手摺体と、上記横棒体を挿通すると共に、上記縦手摺体の端部を連結する上下一対のブラケットと、上記縦手摺体の上記横棒体に対する移動を制止するロック機構と、を具備する浴室用手摺であって、  上記両ブラケットは、上記横棒体が挿通可能な横棒体挿通筒部と、  該横棒体挿通筒部の両端開口側に配設され、横棒体に対して上記縦手摺体の摺動を円滑にする摺動案内部材と、を具備し、  上記ロック機構は、上記両ブラケットのうちの一方のブラケットに一端部が回動可能に設けられ、上記縦手摺体のロック状態において、上記横棒体の外周面側に近接可能な第１のカム部を有すると共に、ブラケットに係止可能なロックレバーと、  上記横棒体の外周面と、上記ロックレバーの一端部との間に配設され、ロックレバーの回動により上記第１のカム部が当接して上記横棒体の外周面に圧接される第１の制動部材と、  上記他方のブラケットに一端部が回動可能に設けられ、ロック状態において、自由端部に上記横棒体の外周面側に近接可能な第２のカム部を有するロック部材と、  上記横棒体の外周面と、上記ロック部材の自由端部との間に配設され、ロック部材の回動により上記第２のカム部が当接して上記横棒体の外周面に圧接される第２の制動部材と、  上記縦手摺体内に遊挿され、一端が上記ロックレバーに連結され、他端が上記ロック部材に連結される連動操作部材と、を具備する、ことを特徴とする（請求項１）。ここで、カム部とは、ロックレバー又はロック部材の回動軸の回転角度に対応した曲面が形成されている凸部をいう。
【００１０】
このように構成することにより、横棒体と縦手摺体の端部を連結する上下一対のブラケットのうちの一方のブラケットに設けられたロックレバーの回動により、両ブラケットに設けられた第１及び第２の制動部材を同時に操作してロック状態にして縦手摺体を所定の位置に固定することができ、また、ロック解除状態（アンロック状態）に切り換えて縦手摺体を横棒体に沿わせて移動することができる。
【００１１】
この発明において、上記縦手摺体のロック状態において、上記ロックレバーの第１のカム部は、上記第１の制動部材を介して該第１のカム部と上記横棒体とが接触する死点を越えた位置に接触し、上記ロック部材の第２のカム部は、上記第２の制動部材を介して該第２のカム部と上記横棒体とが接触する死点を越えない位置に接触するのが好ましい（請求項２）。
【００１２】
このように構成することにより、ロック状態において、ロックレバーの第１のカム部が、第１の制動部材を介して該第１のカム部と横棒体とが接触する死点を越えて接触するので、横棒体に対するブラケットの固定を強固にすることができると共に、ロックレバーのロック状態が不用意に解除されるのを防止することができる。また、ロック部材の第２のカム部が、第２の制動部材を介して該第２のカム部と上記横棒体とが接触する死点を越えない位置に接触するので、ロック部材のロック状態からアンロック状態への切換を容易にすることができる。
【００１３】
また、この発明において、上記一対の横棒体が一対の横手摺体を形成するのが好ましい（請求項３）。
このように構成することにより、上下一対の横棒体が一対の横手摺体を形成するので、使用者は縦手摺体と横手摺体を使用することができる。
【００１４】
また、この発明において、上記ロック部材は、上記他方のブラケットの内部に回動可能に枢支されると共に、回動軸と同軸に設けられる付勢ばねによりロック解除方向に付勢されるのが好ましい（請求項４）。
【００１５】
このように構成することにより、付勢ばねの付勢力によってロック部材のロック状態が解除された際のアンロック状態への切換を確実にすることができる。
【００１６】
また、この発明において、上記ロックレバーは、該ロックレバーの回動軸と直交する側面視円弧状に形成され、ロック状態において上記一方のブラケットの外周面に沿うように設けられるのが好ましい（請求項５）。
【００１７】
このように構成することにより、ロック状態においてロックレバーがブラケットの外周面に沿った状態になるので、ロックレバーの突出を少なくすることができる。
【００１８】
加えて、この発明において、上記摺動案内部材は、上記横棒部材の外周面の少なくとも３以上の等間隔の複数箇所に接触可能な潤滑性を有する矩形板状の合成樹脂製部材にて形成される（請求項６）か、又は、上記横棒部材の外周面の少なくとも３以上の等間隔の複数箇所に接触可能な鼓型ローラにて形成される（請求項７）のが好ましい。
【００１９】
このように構成することにより、摺動案内部材と横棒体との摩擦抵抗を少なくすることができると共に、ブラケットの外形を小さくすることができる。
【発明の効果】
【００２０】
この発明によれば、上記のように構成されているので、以下のような効果がえられる。
【００２１】
（１）請求項１記載の発明によれば、上下の各ブラケットの制動部材を一つのレバー操作によって容易かつ素早く行うことができ、また、構成部材の削減が図れると共に、ブラケットの小型化が図れる。
【００２２】
（２）請求項２記載の発明によれば、横棒体に対するブラケットの固定を強固にすることができると共に、ロックレバーのロック状態が不用意に解除されるのを防止することができ、また、ロック部材のロック状態からアンロック状態への切換を容易にすることができるので、上記（１）に加えて、更に横棒体とブラケットの固定を強固かつ確実にすることができる。
（３）請求項３記載の発明によれば、使用者は縦手摺体と横手摺体を使用することができるので、上記（１），（２）に加えて、更に手摺の用途の拡大が図れると共に、安全性の向上が図れる。
（４）請求項４記載の発明によれば、付勢ばねの付勢力によってロック部材のロック状態が解除された際のアンロック状態への切換を確実にすることができるので、上記（１）〜（３）に加えて、更にロック操作とアンロック操作を容易かつ確実にすることができる。
【００２３】
（５）請求項５記載の発明によれば、ロック状態においてロックレバーの突出を少なくすることができるので、上記（１）〜（４）に加えて、更に手摺の安全性を高めることができる。
【００２４】
（６）請求項６，７記載の発明によれば、摺動案内部材と横棒体との摩擦抵抗を少なくすることができると共に、ブラケットの外形を小さくすることができるので、上記（１）〜（５）に加えて、更に縦手摺体の移動を円滑にすることができると共に、ブラケットの小型化が図れる。
【図面の簡単な説明】
【００２５】
【図１】この発明に係る浴室用手摺の使用状態を示す概略斜視図である。
【図２】この発明の第１実施形態における摺動案内部材の取付状態を示す断面図である。
【図３】第１実施形態のロック状態を示す断面図（ａ）及びこの発明における連動操作部材の連結状態を示す拡大断面図（ｂ）である。
【図３Ａ】この発明におけるロックレバーのロック状態を示す概略側面図（ａ）及びロック部材のロック状態を示す概略側面図（ｂ）である。
【図４】第１実施形態のアンロック状態を示す断面図である。
【図５】この発明におけるロックレバーの正面図（ａ）、右側面図（ｂ），平面図（ｃ）及び（ｃ）のＩ−Ｉ線に沿う断面図（ｄ）である。
【図６】この発明におけるロック部材の正面図（ａ）、平面図（ｂ）及び（ｂ）のII−II線に沿う断面図（ｃ）である。
【図７】この発明における制動部材の正面図（ａ）、左側面図（ｂ）、平面図（ｃ）及び（ｂ）のIII−III線に沿う拡大断面図（ｄ）である。
【図７Ａ】この発明における制動部材の別の形態を示す斜視図である。
【図７Ｂ】上記制動部材の正面図（ａ）及び（ａ）のIV−IV線に沿う断面図（ｂ）である。
【図８】第１実施形態における下部ブラケット、摺動案内部材、ロック機構の構成部材の一部を示す分解斜視図である。
【図９】第１実施形態における上部ブラケット、摺動案内部材、ロック機構の構成部材の一部を示す分解斜視図である。
【図１０】この発明の第２実施形態における摺動案内部材の取付状態を示す断面図である。
【図１１】第２実施形態における下部ブラケット、摺動案内部材、ロック機構の構成部材の一部を示す分解斜視図である。
【図１２】第２実施形態における上部ブラケット、摺動案内部材、ロック機構の構成部材の一部を示す分解斜視図である。
【図１３】この発明の第３実施形態のロック状態を示す断面図である。
【図１４】第３実施形態のアンロック状態を示す断面図である。
【発明を実施するための形態】
【００２６】
以下に、この発明の実施形態について、添付図面を参照して詳細に説明する。
【００２７】
＜第１実施形態＞
この発明に係る浴室用手摺は、図１に示すように、浴室における浴槽１の設置位置の近傍の壁部２に互いに平行に対峙して固定される一対の上部及び下部横棒体１０ａ，１０ｂと、これら横棒体１０ａ，１０ｂの間に垂直方向に配設されると共に、横棒体１０ａ，１０ｂの長手方向に沿って移動可能な縦手摺体１１と、横棒体１０ａ，１０ｂを挿通すると共に、縦手摺体１１の端部を連結する上下一対のブラケット２０ａ，２０ｂ（以下に上部ブラケット２０ａ，下部ブラケット２０ｂという）と、縦手摺体１１の横棒体１０ａ，１０ｂに対する移動を制止するロック機構７０と、を具備する。なお、一対の横棒体１０ａ，１０ｂによって一対の横手摺体１０が形成されている。
【００２８】
この場合、上部及び下部横棒体１０ａ，１０ｂ及び縦手摺体１１は、それぞれステンレス製のパイプ基部１２の表面に軟質樹脂材１３が被覆されて、手摺を握持したときの違和感を少なくしている。なお、上部及び下部横棒体１０ａ，１０ｂには、パイプ基部１２内に例えばアルミニウム合金製パイプからなる補強芯材１４が長手通しに嵌挿されている（図２参照）。これにより、上部及び下部横棒体１０ａ，１０ｂに強度をもたせることができ、縦手摺体１１に長いストロークを有効に利用することができる。
【００２９】
なお、手摺を取り付ける壁部２に対して直交する壁部２ａと浴槽１との間のスペース３にはバスボード４が配置されている。このバスボード４は必要に応じてスペース３内に配置され、このバスボード４をスペース３内から取り除いて、浴槽１を所定の位置に移動することができる。
【００３０】
上部及び下部ブラケット２０ａ，２０ｂは、図２，図８，図９に示すように、例えばポリアセタール樹脂からなる合成樹脂製の上部及び下部横棒体１０ａ，１０ｂが挿通可能な横棒体挿通筒部２１と、該横棒体挿通筒部２１の両端開口側に配設され、上部及び下部横棒体１０ａ，１０ｂに対して縦手摺体１１の摺動を円滑にする摺動案内部材３０を具備している。
【００３１】
この場合、上部及び下部ブラケット２０ａ，２０ｂは、断面略半円筒状のブラケット半体２２ａ，２２ｂを、一方のブラケット半体２２ａに設けられた円弧状の係合爪２３を他方のブラケット半体２２ｂの外周面に設けられた円弧状の係止溝２４に係合した状態で接合してなる。
【００３２】
また、一方のブラケット半体２２ａの中央部には、ブラケット半体２２ａの軸方向と直交する方向に半円筒部２５が設けられている。他方のブラケット半体２２ｂの中央部には、基端側に半円筒状の切欠部２６ａを有する縦手摺体嵌合筒部２６が設けられている。両ブラケット半体２２ａ，２２ｂが接合された状態で、半円筒部２５が切欠部２６ａに係合して、半円筒部２５と縦手摺体嵌合筒部２６とで円筒状に形成されている。
【００３３】
また、横棒体挿通筒部２１の両端開口側の内周面には、周方向に等間隔な４つの摺動案内部材収容溝２７（以下に収容溝２７という）が設けられている。この場合、収容溝２７は、外方端部が開口する狭隘開口状に形成され、かつ、軸方向に互いに平行に設けられている。なお、収容溝２７は周方向に等間隔な４つである必要はなく、軸方向に互いに平行であれば少なくとも３つ以上であればよい。
【００３４】
摺動案内部材３０は、例えばスチレン系エラストマーの表面に特殊加工を施した低摩擦の合成樹脂製部材にて形成されており、断面形状が収容溝２７内に嵌挿される基部３０ａと収容溝２７の狭隘開口から突出する摺動部３０ｂとを有する略矩形板状に形成されている。
【００３５】
また、横棒体挿通筒部２１の両端開口側は先端に向かって縮径テーパー状に形成されており、収容溝２７に摺動案内部材３０を嵌挿して取り付けた状態で、横棒体挿通筒部２１の両端開口側に縮径端部に横棒体挿通孔２８ａを有する截頭円錐状のキャップ部材２８ｂを被着することによって、摺動案内部材３０が固定されるようになっている。
【００３６】
なお、下部ブラケット２０ｂを構成するブラケット半体２２ｂにおける縦手摺体嵌合筒部２６と反対側には、第１の制動部材４０ａとロックレバー５０の一端部及び回動軸５１が収容可能な下部収容部２９ｂが設けられている。また、上部ブラケット２０ａを構成するブラケット半体２２ｂにおける縦手摺体嵌合筒部２６と反対側には、第２の制動部材４０ｂとロック部材６０の一端部及び回動軸６１が収容可能な上部収容部２９ａが設けられている。なお、上部収容部２９ａの上部開口部２９ｃにはカバー部材２９ｄが被着されている（図９参照）。
【００３７】
次に、ロック機構７０について説明する。ロック機構７０は、上部及び下部ブラケット２０ａ，２０ｂのうちの一方、例えば上部ブラケット２０ａに一端が回動可能に設けられ、縦手摺体１１のロック状態において、下部横棒体１０ｂの外周面側に近接可能な第１のカム部５２を有すると共に、上部ブラケット２０ａに係止可能なロックレバー５０と、下部横棒体１０ｂの外周面と、ロックレバー５０の一端部との間に配設され、ロックレバー５０の回動により、ロックレバー５０の第１のカム部５２が当接して下部横棒体１０ｂの外周面に圧接される第１の制動部材４０ａと、他方すなわち下部ブラケット２０ｂに一端が回動可能に設けられ、ロック状態において、上部横棒体１０ａの外周面側に近接可能な第２のカム部６２を有するロック部材６０と、上部横棒体１０ａの外周面と、ロック部材６０の自由端部との間に配設され、ロック部材６０の回動により、ロック部材６０の第２のカム部６２が当接して上部横棒体１０ａの外周面に圧接される第２の制動部材４０ｂと、縦手摺体１１内に遊挿され、一端がロックレバー５０に連結され、他端がロック部材６０に連結される連動操作部材８０と、を具備する。
【００３８】
ロックレバー５０は、例えば塩化ビニール等の合成樹脂製部材にて形成されており、図３〜図５に示すように、一端部に設けた回動軸５１を介して下部ブラケット２０ｂに回動可能に枢着され、他端部が回動軸５１と直交する側面視円弧状の回動操作部５３と、一端部側の回動方向側に突設されるカム部５２と、一端部の回動軸５１より回動操作部５３と反対方向の外方側に設けられる連動操作部材８０の連結部５４とを具備している。この場合、カム部５２は、一端部の回動軸５１側から回動方向側に向かって突出すると共に、回動軸５１の回転角度に対応した曲面を有する略三角状に形成されている。なお、回動操作部５３の先端には断面円形状の摘み部５３ａが設けられている。
【００３９】
このように構成されるロックレバー５０は、ロック状態において、回動操作部５３が下部ブラケット２０ｂの外周面に沿うように設けられる。また、図３Ａ（ａ）に示すように、ロック状態において、ロックレバー５０の第１のカム部５２は、第１の制動部材４０ａを介して該第１のカム部５２と下部横棒体１０ｂとが接触する死点ＤＰを越えた位置に接触するようになっている。
【００４０】
ロック部材６０は、例えばポリアセタール樹脂からなる合成樹脂製部材にて形成されており、図３〜図４，図６に示すように、一端部に設けた回動軸６１を介して上部ブラケット２０ａに回動可能に枢着され、自由端部に回動方向側に突設される第２のカム部６２が設けられている。また、回動軸６１と第２のカム部６２とを結ぶ線に対して直交する回動方向と反対側には連動操作部材８０の連結部６４が設けられている。
【００４１】
この場合、第２のカム部６２は、回動軸６１側から回動方向側に向かって突出すると共に、回動軸６１の回転角度に対応した曲面を有する略三角状に形成されている。また、ロック部材６０の回動軸６１には、一端が上部ブラケット２０ａに固定され、他端がロック部材６０に固定されるトーションばねにて形成される付勢ばね６５が巻装されている。この付勢ばね６５の付勢力（弾発力）によってロック部材６０のカム部６２が常時上部横棒体１０ａから離れる方向に位置している。
【００４２】
上記第１及び第２の制動部材４０ａ，４０ｂは同様の形状に形成されており、例えばステンレス製の板ばね部材をプレス加工したものであって、図３，図４，図７に示すように、上部ブラケット２０ａ及び下部ブラケット２０ｂに設けられた挿入溝２０ｃ，２０ｄ内に挿入される水平挿入片６５ａと、水平挿入片６５ａの基端側の端部から水平挿入片６５ａに対して直交状に屈曲される垂直部６５ｂと垂直部６５ｂの先端から水平挿入片６５ａと反対方向に円弧状に屈曲する円弧部６５ｃとからなる屈曲片６５ｄと、水平挿入片６５ａの基端側中央部から屈曲片６５ｄの垂直部６５ｂと円弧部６５ｃの上部に跨がって設けられる窓孔６５ｅと、を具備している。
【００４３】
この場合、水平挿入片６５ａには、水平挿入片６５ａの先端側から基端側に向かって傾斜状に切り起こされる切起し片６５ｆが、挿入方向と直交する方向の２箇所に設けられている。このように、傾斜状の切起し片６５ｆを設けることにより、水平挿入片６５ａの上部及び下部ブラケット２０ｂに設けられた挿入溝２０ｃ，２０ｄ内への挿入状態において、切起し片６５ｆのばね力が作用して第１及び第２制動部材４０ａ，４０ｂの取付を強固にすることができる。
【００４４】
また、屈曲片６５ｄの円弧部６５ｃの凹状面側の左右２箇所には、屈曲方向に沿って互いに平行な矩形状の凸部６５ｇが半抜き加工によって形成されている。このように、屈曲方向に沿って互いに平行な矩形状の凸部６５ｇを設けることにより、縦手摺体１１のロック状態において、凸部６５ｇが上部及び下部横棒体１０ａ，１０ｂの表面の軟質樹脂材１３に食い込んで上部及び下部ブラケット２０ａ，２０ｂの固定を強固にすることができる。
【００４５】
上記のように形成される第１及び第２の制動部材４０ａ，４０ｂは、板ばね部材をプレス加工したばね性を有するため、ロック解除状態（アンロック状態）において、上部及び下部横棒体１０ａ，１０ｂから離反する方向にばね力が作用して、ロックレバー５０及びロック部材６０をアンロック位置に確実に復帰させることができる。
【００４６】
上記説明では、第１及び第２制動部材４０ａ，４０ｂの屈曲片４０ｄに凸部６５ｇを設けたが、凸部６５ｇに代えて、図７Ａ及び図７Ｂに示すように、屈曲片６５ｇにゴムシート６５ｈを貼着して第１及び第２制動部材４０Ａ，４０Ｂを形成してもよい。なお、図７Ａ及び図７Ｂにおいて、その他の部分は第１及び第２制動部材４０ａ，４０ｂと同じであるので、同一部分には同一符号を伏して説明は省略する。
【００４７】
上記のように、屈曲片６５ｄにゴムシート６５ｈを貼着することにより、縦手摺体１１のロック状態において、ゴムシート６５ｈが上部及び下部横棒体１０ａ，１０ｂの表面の軟質樹脂材１３に圧接されることで弾性変形し、摩擦抵抗を増大して上部及び下部ブラケット２０ａ，２０ｂの固定を強固にすることができる。
【００４８】
上記連動操作部材８０は、ポリエチレン樹脂を被覆したステンレス製のチューブ８１と、該チューブ８１を貫通するステンレス製のワイヤー８２とで構成されており、チューブ８１から突出するワイヤー８２の一端がロックレバー５０の連結部５４に連結され、チューブ８１から突出するワイヤー８２の他端がロック部材６０の連結部６４に連結されている。
【００４９】
この場合、ロック部材６０の連結部６４は、図３（ｂ）に示すように、ワイヤー８２を貫挿する貫通孔６４ａを有する円柱状に形成されており、外部と貫通孔６４ａを連通するねじ孔６４ｂに螺合する固定ねじ６４ｃの先端を、貫通孔６４ａ内を移動して長さ調整されたワイヤー８２に押し付けることで、ワイヤー８２の張力が調節可能になっている。なお、ワイヤー８２は第１及び第２の制動部材４０ａ，４０ｂに設けられた窓孔６５ｅを貫通して連結部５４，６４に連結されるので、ワイヤー８２と第１及び第２の制動部材４０ａ，４０ｂは干渉することがない。
【００５０】
＜第２実施形態＞
第２実施形態に係る浴室用手摺は、第１実施形態における摺動案内部材３０に代えて、摺動案内部材３０Ａを鼓型ローラにて形成した場合である。
【００５１】
この場合、横棒体挿通筒部２１の両端開口側の内周面には、周方向に等間隔な４つの断面略コ字状の摺動案内部材収容溝２７Ａ（以下に収容溝２７Ａという）が設けられている。なお、収容溝２７Ａは周方向に等間隔な４つである必要はなく、軸方向に互いに平行であれば少なくとも３つ以上であればよい。
【００５２】
摺動案内部材３０Ａは、鼓型のローラ本体３１の両端に回転軸３２が突設されており、回転軸３２が収容溝２７Ａの対向する両側壁に回転自在に枢支されている。このように、摺動案内部材３０Ａを鼓型ローラにて形成することにより、摺動案内部材３０Ａと上部及び下部横棒体１０ａ，１０ｂとの接触面積及び摩擦抵抗を少なくすることができるので、縦手摺体の移動を円滑にすることができる。また、上部及び下部ブラケット２０ａ，２０ｂの肉厚を少なくすることができるので、上部及び下部ブラケット２０ａ，２０ｂの小型化が図れる。
【００５３】
なお、第２実施形態において、その他の部分は第１実施形態と同じであるので、同一部分には同一符号を付して説明は省略する。
【００５４】
上記のように構成される本実施形態の浴室用手摺において、ロックレバー５０をロック解除状態（アンロック状態）にすることで、縦手摺体１１を上部及び下部横棒体１０ａ，１０ｂ（横手摺体１０）に対して任意の位置に移動することができる（図４参照）。
【００５５】
縦手摺体１１を所定の位置に移動した後、ロックレバー５０を回動することにより、ロックレバー５０に一体に設けられた第１のカム部５２が第１の制動部材４０ａに当接して第１の制動部材４０ａが下部横棒体１０ｂの外周面に接触すると共に、第１の制動部材４０ａの円弧部６５ｃを下部横棒体１０ｂの外周面に圧接する。また、ロックレバー５０の回動により連動操作部材８０を構成するワイヤー８２が下方側に引っ張られて、ワイヤー８２の他端に連結するロック部材６０が回動して、ロック部材６０の第２のカム部６２が第２の制動部材４０ｂに当接して第２の制動部材４０ｂが上部横棒体１０ａの外周面に接触すると共に、第２の制動部材４０ｂの円弧部６５ｃを下部横棒体１０ｂの外周面に圧接する。
【００５６】
したがって、ロックレバー５０の回動により、上部及び下部ブラケット２０ａ，２０ｂに設けられた第１及び第２の制動部材４０ａ，４０ｂを同時に操作してロック状態にして縦手摺体１１を所定の位置に固定することができ、また、ロック解除状態（アンロック状態）に切り換えて縦手摺体１１を上部及び下部横棒体１０ａ，１０ｂ（横手摺体１０）に沿わせて移動することができる。
【００５７】
また、縦手摺体１１のロック状態においては、図３Ａ（ａ）に示すように、ロックレバー５０の第１のカム部５２は、第１の制動部材４０ａを介して該第１のカム部５２と下部横棒体１０ｂとが接触する死点ＤＰを越えた位置に接触している。このように、第１の制動部材４０ａを介して第１のカム部５２と下部横棒体１０ｂとが接触する死点ＤＰを越えた位置に接触することにより、下部横棒体１０ｂに対する下部ブラケット２０ｂの固定を強固にすることができると共に、ロックレバー５０のロック状態が不用意に解除（アンロック）されるのを防止することができる。
【００５８】
一方、縦手摺体１１のロック状態においては、図３Ａ（ｂ）に示すように、ロック部材６０の第２のカム部６２は、第２の制動部材４０ｂを介して該第２のカム部６２と上部横棒体１０ａとが接触する死点ＤＰを越えない位置に接触している。これにより、ロックレバー５０をロック解除（アンロック）方向へ回動したとき、ロック部材６０のロック状態からアンロック状態への切換を容易にすることができる。
【００５９】
＜第３実施形態＞
第３実施形態に係る浴室用手摺は、上記第１，第２実施形態におけるロックレバー５０のロック状態の解除を容易に行えるようにした場合である。
【００６０】
すなわち、図１３及び図１４に示すように、ロックレバー５０にロック解除用の指掛け部材９０を取り付けて、ロック状態にあるロックレバー５０のロック解除を容易に行えるようにした場合である。
【００６１】
この場合、指掛け部材９０は、図１３及び図１４に示すように、ロックレバー５０の回動操作部５３に設けられた窓孔９１ａ及び下部ブラケット２０ｂに設けられた窓孔９１ｂ内に遊嵌されると共にロックレバー５０の回動方向にスライド可能な基部９２と、該基部９２と一体に形成されて基部９２を常時ロックレバー５０の回動方向の自由端側に弾性力を付勢する支持ばね９３と、ロックレバー５０の下面側に位置して固定ねじ９４によって基部９２に固定される指掛け部９５と、を具備している。
【００６２】
なお、基部９２の先端側の一側には、下部ブラケット２０ｂの窓孔９１ｂの自由端側の開口縁部に係止可能な三角状の係止爪部９６が設けられている。また、指掛け部９５の自由端部の下面には、指掛け用凹部９７が設けられている。
【００６３】
上記のように構成される指掛け部材９０は、縦手摺体１１のロック状態では、図１３に示すように、支持ばね９３の弾性力の付勢によって係止爪部９６が下部ブラケット２０ｂの窓孔９１ｂの開口縁部に係止する。これにより、ロックレバー５０のロック状態が確実になる。
【００６４】
また、ロック状態を解除する場合は、指掛け用凹部９７に指を引っ掛けて支持ばね９３の付勢力に抗して指掛け部９５と基部９２を回動中心側に移動して、係止爪部９６と窓孔９１ｂの開口縁部の係止状態を解除して、ロックレバー５０を回動する。これにより、ロック状態を容易に解除することができる。
【００６５】
なお、図１３及び図１４において、第１及び第２の制動部材４０Ａ，４０Ｂを用いた以外は、第１及び第２実施形態と同じであるので、同一部分には同一符号を伏して説明は省略する。
【００６６】
＜その他の実施形態＞
上記実施形態では、ロックレバー５０を下部ブラケット２０ｂに設け、ロック部材６０を上部ブラケット２０ａに設けた場合について説明したが、ロックレバー５０とロック部材６０を逆にしてもよい。すなわち、ロックレバー５０を上部ブラケット２０ａに設け、ロック部材６０を下部ブラケット２０ｂに設けてもよい。
【符号の説明】
【００６７】
２  壁部
１０  横手摺体
１０ａ  上部横棒体
１０ｂ  下部横棒体
１１  縦手摺体
２０ａ  上部ブラケット
２０ｂ  下部ブラケット
２１  横棒体挿通筒部
３０  矩形板状摺動案内部材
３０Ａ  鼓型摺動案内部材
４０ａ  第１の制動部材
４０ｂ  第２の制動部材
５０  ロックレバー
５１  回動軸
５２  第１のカム部
５３  回動操作部
５４  連結部
６０  ロック部材
６１  回動軸
６２  第２のカム部
６４  連結部
７０  ロック機構
８０  連動操作部材
【図１】
0006578559.tif 000002
【図２】
0006578559.tif 000003
【図３】
0006578559.tif 000004
【図３Ａ】
0006578559.tif 000005
【図４】
0006578559.tif 000006
【図５】
0006578559.tif 000007
【図６】
0006578559.tif 000008
【図７】
0006578559.tif 000009
【図７Ａ】
0006578559.tif 000010
【図７Ｂ】
0006578559.tif 000011
【図８】
0006578559.tif 000012
【図９】
0006578559.tif 000013
【図１０】
0006578559.tif 000014
【図１１】
0006578559.tif 000015
【図１２】
0006578559.tif 000016
【図１３】
0006578559.tif 000017
【図１４】
0006578559.tif 000018